(57)【要約】【課題】成形品のゲート金型側へのとられをなくし、確実に突出金型側に成形品が付いてくる構造にすることで成形品の割れをなくすこと。【解決手段】この発明に係る遠心ファンの射出成形金型は、ゲート金型と突出金型とを有する射出成形金型に肉盗み駒を設けて中空羽根を成形する遠心ファンの射出成形金型において、突出金型の中空羽根外周成形面に、型開き時に中空羽根が突出金型に残るような逆勾配を設けたことを特徴とする。【選択図】　　　　図２
2004034398.tif 000002
【特許請求の範囲】
【請求項１】
ゲート金型と突出金型とを有する射出成形金型に肉盗み駒を設けて中空羽根を成形する遠心ファンの射出成形金型において、
前記突出金型の中空羽根外周成形面に、型開き時に前記中空羽根が前記突出金型に残るような逆勾配を設けたことを特徴とする遠心ファンの射出成形金型。
【請求項２】
前記突出金型の中空羽根外周外側の成形面に逆勾配を付けるために外スライドコアを設けると共に、前記突出金型の中空羽根外周内側の成形面に逆勾配を付けるために傾斜スライドを設けたことを特徴とする請求項１に記載の遠心ファンの射出成形金型。
【請求項３】
前記突出金型中空羽根成形面と前記傾斜スライド中空羽根成形面を滑らかに連続的につながるように傾斜面を設けたことを特徴とする請求項２に記載の遠心ファンの射出成形金型。
【請求項４】
ゲート金型と突出金型とを有する射出成形金型に肉盗み駒を設けて中空羽根を成形する遠心ファンの製造方法において、
前記突出金型の中空羽根外周成形面に、型開き時に前記中空羽根が前記突出金型に残るような逆勾配を設け、前記中空羽根を射出成形することを特徴とする遠心ファンの製造方法。
【請求項５】
前記射出成形金型は、前記突出金型の中空羽根外周外側の成形面に逆勾配を付けるための外スライドコアを有すると共に、前記突出金型の中空羽根外周内側の成形面に逆勾配を付けるための傾斜スライドを有し、
前記射出成形金型に樹脂を注入して前記中空羽根を成形し、
前記中空羽根の成形完了後に、前記ゲート金型と前記突出金型の間の面を開き、
前記外スライドコアを前記中空羽根外周外側面から離し、
前記中空羽根を前記突出金型から離型する際に、前記傾斜スライドが作動して前記中空羽根外周内側面から離れることを特徴とする請求項４に記載の遠心ファンの製造方法。
【請求項６】
ゲート金型と突出金型とを有する射出成形金型に肉盗み駒を設けて中空羽根を成形する遠心ファンの射出成形金型において、
前記肉盗み駒は、前記ゲート金型に進退自在に設けられていることを特徴とする遠心ファンの射出成形金型。
【請求項７】
ゲート金型と突出金型とを有する射出成形金型に肉盗み駒を設けて中空羽根を成形する遠心ファンの製造方法において、
前記ゲート金型に進退自在に設けられた前記肉盗み駒のみを後退作動させて、前記中空羽根の中空部から高さ方向で所定長さ抜き、その後金型成形品取り出し面を開くことを特徴とする遠心ファンの製造方法。
【請求項８】
前記ゲート金型に進退自在に設けられた前記肉盗み駒のみを後退作動させて、前記中空羽根の中空部から高さ方向で約１／３抜き、その後金型成形品取り出し面を開くことを特徴とする請求項７に記載の遠心ファンの製造方法。
【請求項９】
遠心ファン本体とねじれた羽根形状とが一体成形される遠心ファンの射出成形金型において、
前記ねじれた羽根形状にゲート金型側または突出金型側に肉盗み駒を斜め方向から設けて、その肉盗み駒を支える為に肉盗み駒先端に凹形状または凸形状を設け、それにその相手側の突出金型側またはゲート金型側羽根の先端から飛出た、先端に駒支え用の凸形状または凹形状を設けた肉盗み支え駒を合わせて、前記肉盗み駒を支えた構造としたことを特徴とする遠心ファンの射出成形金型。
【請求項１０】
前記傾斜した肉盗み駒の高さは羽根形状高さの約１／２〜１として、抜き勾配は０．１°以上設け、支え駒高さは羽根形状高さの約０〜１／２設けたことを特徴とする請求項９に記載の遠心ファンの射出成形金型。
【請求項１１】
遠心ファン本体とねじれた羽根形状とが一体成形される遠心ファンの製造方法において、
前記ねじれた羽根形状にゲート金型側または突出金型側に肉盗み駒を斜め方向から設けて、その肉盗み駒を支える為に肉盗み駒先端に凹形状または凸形状を設け、それにその相手側の突出金型側またはゲート金型側羽根の先端から飛出た、先端に駒支え用の凸形状または凹形状を設けた肉盗み支え駒を合わせて、前記肉盗み駒を支えて射出成形することを特徴とする遠心ファンの製造方法。
【請求項１２】
前記ねじれた羽根形状において、ゲート金型側または突出金型側の中空部アンダーカット形状を形成させる為に、肉盗み駒を傾斜させて設け、スライドが動きアンダーカット部である中空部肉盗み形状から完全に駒を抜き、その後に製品取り出し面が開き製品を取り出すことを特徴とする請求項１１に記載の遠心ファンの製造方法。
【請求項１３】
前記肉盗み駒の傾斜に沿って、型開きを利用して動くスライドカム方式によりスライドさせて、アンダーカット形状を抜くことを特徴とする請求項１２に記載の遠心ファンの製造方法。
【請求項１４】
前記肉盗み駒の傾斜に沿って、型開きに関係無しに単独で動かせる油圧シリンダー方式によりスライドさせて、アンダーカット形状を抜くことを特徴とする請求項１２に記載の遠心ファンの製造方法。
【請求項１５】
前記ねじれた羽根形状外周の型が開いた際、アンダーカットで抜けない羽根形状を形成させる為、羽根の内、外面を外側にスライドさせる駒により形成させ、スライドは肉盗み形状駒が完全に抜けた後作動することを特徴とする請求項１１に記載の遠心ファンの製造方法。
【請求項１６】
遠心ファン本体とねじれた羽根形状とが一体成形される遠心ファンにおいて、
前記ねじれた羽根形状は、羽根形状高さ方向に全貫通の中空部を設けたことを特徴とする遠心ファン。
【発明の詳細な説明】
【０００１】
【発明の属する技術分野】
この発明は、空気調和機等の送風機に使用される遠心ファンの製造方法に関するものである。
【０００２】
【従来の技術】
図６〜８は従来の技術を示す図で、図６は従来の遠心ファンの完成図とスライド作動方向を示す図、図７は従来の遠心ファンの中空羽根形状金型構造断面図と動作図、図８は従来の金型の基本動作図である。従来の遠心ファンの中空羽根形状金型に肉盗み駒５ａを設けて羽根形状４ａを形状高さ方向で貫通させた中空状態にして薄肉、軽量化を図る射出成形金型構造に関しては、遠心ファン本体２と羽根形状４ａの一体成形品の羽根形状４ａに肉盗み駒５ａを設けることにより、射出後、冷却工程で樹脂の収縮により、樹脂が肉盗み駒５ａに抱きつき、型開き時に（成形品取出面が開く）成形品がゲート金型側１０についていく（本来、成形品は突出金型側１１についてこないと、突出し離型できない。）。また、射出時、射出圧力により肉盗み駒５ａが倒れ、成形できなくなるという問題が発生する。
【０００３】
そこで、ゲート金型１０へのとられ対策として、突出金型１１側の羽根形状４ａ外周面に０°からアンダーカットになる逆向き勾配をつける為に、羽根形状４ａ面外側に外スライドコア７ａを設け、肉盗み駒５ａの表面は鏡面に仕上げ、冷却による放熱を考慮して密着しないようにすることで、突出金型１１へ成形品が残るようにした。
【０００４】
更に、肉盗み駒５ａは厚み寸法が薄いのでその倒れ対策として、肉盗み駒５ａ先端に凹み形状を設け、それに突出金型１１側羽根形状４ａの先端（吸い込み口１との溶着形状部付近）から飛出た、先端に駒支え用の凸形状を設けた肉盗み駒支え駒６を合わせてゲート金型１０側を支えると共に、ピンゲート９位置は羽根形状４ａの長手方向先端根元から樹脂が入り、羽根形状４ａと肉盗み駒５ａに沿って流れるようにして、射出圧力による肉盗み駒５ａ倒れを防止するようにして重量が軽く、ヒケの発生が押さえられた高品質な遠心ファンの成形が可能になった。羽根形状４ａ表面上にヒケが発生すると所定形状が出ない為、製品性能に影響がある。
【０００５】
しかし、現状の対策であるとゲート金型側へのとられがあり完全な対策とはいえない。その原因は突出金型１１側羽根形状４ａの外周外面スライドコアには逆側に勾配を付けているが、羽根形状４ａの外周内面には逆勾配を設けてなかった為に、型開き時にゲート金型１０側と突出金型１１側のバランスが悪く肉盗み駒５ａ内面へのだきつきが羽根形状４ａ突出金型側の内面よりも大きいので、羽根形状４ａ内面がゲート金型１０側にとられ、外面が突出金型１１側にとられる為に、お互いに引っ張り合う形となり成形品が割れるという問題があり連続成形が困難である。
【０００６】
次に動作について図８を用いて説明する。まず、ゲート金型取付板１３のゲート口から樹脂が注入されて遠心ファン成形品が完成する。その後、ゲート金型取付板１３が成形機に固定された状態でランナーストリッパプレート１２とゲート金型１０の間が開き、ランナー（成形品までの湯道）とピンゲート９（成形品と湯道をつなぐ入り口）を成形品から切り離す。ランナー、ゲート部は後で取り出す。
【０００７】
その後、ゲート金型取付板１３とランナーストリッパプレート１２の間が開きランナー等を確実にランナーストリッパプレート１２側に持ってくることでピンゲート９を成形品から切り離す役割のランナーロックピン１９からランナーが離される。このランナーロックピン１９のランナーに入り込んでいる形状にはアンダーカット形状がついているので、ランナーストリッパプレート１２側へ持ってくることが可能である。
【０００８】
そして、最後に突出金型１１側が動きゲート金型１０面と突出金型１１面が開き、成形品は突出金型１１側に付いてくる。この時、羽根形状４ａが肉盗み駒５ａに抱き付きゲート金型１０へ残った状態で、突出金型１１へ成形品が引っ張られると羽根形状根元付近で突出金型１１とゲート金型１０でお互いに引っ張られて割れる。
【０００９】
以上の型開きが完全に終了後、外スライドコア７ａが動きアンダーカット羽根形状面がはずれる。その後、成形機から突出バー１７が押し出され、エジェクタプレート１５が動き、突出ピン１８によって成形品が押し出されて取り出される。後、ゲート金型１０と突出金型１１等のプレートが動いて締まり、樹脂注入前の状態に戻り、再び以上説明した動作を繰り返す。
【００１０】
【発明が解決しようとする課題】
従来の遠心ファン金型は以上のように構成されているので、羽根形状４ａ内側面もバランス良くゲート金型１０の肉盗み駒５ａが引き抜かれて、型開き時に肉盗み駒５ａにとられる事無く、突出金型１１側へ付かせる必要がある。また、現状は肉盗み駒５ａに成形品の羽根形状４ａが樹脂の収縮により抱きついて、型開き時に外側羽根形状４ａ面はアンダーカット形状であるスライドコア７ａにより突出金型１１に付いてくるが、羽根形状４ａ内側は肉盗み駒５ａにとられてお互いにゲート金型１０と突出金型１１が引っ張り合い割れるという問題点があった。
【００１１】
この発明は上記のような問題点を解消する為になされたもので、成形品のゲート金型側へのとられをなくし、確実に突出金型側に成形品が付いてくる構造にすることで成形品の割れをなくすことを目的としており、更に成形品のゲート金型側へのとられによる割れをなくすことで、連続成形を可能にすることを目的とする。
【００１２】
【課題を解決するための手段】
この発明に係る遠心ファンの射出成形金型は、ゲート金型と突出金型とを有する射出成形金型に肉盗み駒を設けて中空羽根を成形する遠心ファンの射出成形金型において、突出金型の中空羽根外周成形面に、型開き時に中空羽根が突出金型に残るような逆勾配を設けたことを特徴とする。
【００１３】
また、この発明に係る遠心ファンの射出成形金型は、突出金型の中空羽根外周外側の成形面に逆勾配を付けるために外スライドコアを設けると共に、突出金型の中空羽根外周内側の成形面に逆勾配を付けるために傾斜スライドを設けたことを特徴とする。
【００１４】
また、この発明に係る遠心ファンの射出成形金型は、突出金型中空羽根成形面と傾斜スライド中空羽根成形面を滑らかに連続的につながるように傾斜面を設けたことを特徴とする。
【００１５】
この発明に係る遠心ファンの製造方法は、ゲート金型と突出金型とを有する射出成形金型に肉盗み駒を設けて中空羽根を成形する遠心ファンの製造方法において、突出金型の中空羽根外周成形面に、型開き時に中空羽根が突出金型に残るような逆勾配を設け、中空羽根を射出成形することを特徴とする。
【００１６】
また、この発明に係る遠心ファンの製造方法は、射出成形金型は、突出金型の中空羽根外周外側の成形面に逆勾配を付けるための外スライドコアを有すると共に、突出金型の中空羽根外周内側の成形面に逆勾配を付けるための傾斜スライドを有し、射出成形金型に樹脂を注入して中空羽根を成形し、中空羽根の成形完了後に、ゲート金型と突出金型の間の面を開き、外スライドコアを中空羽根外周外側面から離し、中空羽根を突出金型から離型する際に、傾斜スライドが作動して中空羽根外周内側面から離れることを特徴とする。
【００１７】
この発明に係る遠心ファンの射出成形金型は、ゲート金型と突出金型とを有する射出成形金型に肉盗み駒を設けて中空羽根を成形する遠心ファンの射出成形金型において、肉盗み駒は、ゲート金型に進退自在に設けられていることを特徴とする。
【００１８】
この発明に係る遠心ファンの製造方法は、ゲート金型と突出金型とを有する射出成形金型に肉盗み駒を設けて中空羽根を成形する遠心ファンの製造方法において、ゲート金型に進退自在に設けられた肉盗み駒のみを後退作動させて、中空羽根の中空部から高さ方向で所定長さ抜き、その後金型成形品取り出し面を開くことを特徴とする。
【００１９】
また、この発明に係る遠心ファンの製造方法は、ゲート金型に進退自在に設けられた前記肉盗み駒のみを後退作動させて、中空羽根の中空部から高さ方向で約１／３抜き、その後金型成形品取り出し面を開くことを特徴とする。
【００２０】
この発明に係る遠心ファンの射出成形金型は、遠心ファン本体とねじれた羽根形状とが一体成形される遠心ファンの射出成形金型において、ねじれた羽根形状にゲート金型側または突出金型側に肉盗み駒を斜め方向から設けて、その肉盗み駒を支える為に肉盗み駒先端に凹形状または凸形状を設け、それにその相手側の突出金型側またはゲート金型側羽根の先端から飛出た、先端に駒支え用の凸形状または凹形状を設けた肉盗み支え駒を合わせて、肉盗み駒を支えた構造としたことを特徴とする。
【００２１】
また、この発明に係る遠心ファンの射出成形金型は、傾斜した肉盗み駒の高さは羽根形状高さの約１／２〜１として、抜き勾配は０．１°以上設け、支え駒高さは羽根形状高さの約０〜１／２設けたことを特徴とする。
【００２２】
この発明に係る遠心ファンの製造方法は、遠心ファン本体とねじれた羽根形状とが一体成形される遠心ファンの製造方法において、ねじれた羽根形状にゲート金型側または突出金型側に肉盗み駒を斜め方向から設けて、その肉盗み駒を支える為に肉盗み駒先端に凹形状または凸形状を設け、それにその相手側の突出金型側またはゲート金型側羽根の先端から飛出た、先端に駒支え用の凸形状または凹形状を設けた肉盗み支え駒を合わせて、肉盗み駒を支えて射出成形することを特徴とする。
【００２３】
また、この発明に係る遠心ファンの製造方法は、ねじれた羽根形状において、ゲート金型側または突出金型側の中空部アンダーカット形状を形成させる為に、肉盗み駒を傾斜させて設け、スライドが動きアンダーカット部である中空部肉盗み形状から完全に駒を抜き、その後に製品取り出し面が開き製品を取り出すことを特徴とする。
【００２４】
また、この発明に係る遠心ファンの製造方法は、肉盗み駒の傾斜に沿って、型開きを利用して動くスライドカム方式によりスライドさせて、アンダーカット形状を抜くことを特徴とする。
【００２５】
また、この発明に係る遠心ファンの製造方法は、肉盗み駒の傾斜に沿って、型開きに関係無しに単独で動かせる油圧シリンダー方式によりスライドさせて、アンダーカット形状を抜くことを特徴とする。
【００２６】
また、この発明に係る遠心ファンの製造方法は、ねじれた羽根形状外周の型が開いた際、アンダーカットで抜けない羽根形状を形成させる為、羽根の内、外面を外側にスライドさせる駒により形成させ、スライドは肉盗み形状駒が完全に抜けた後作動することを特徴とする。
【００２７】
この発明に係る遠心ファンは、遠心ファン本体とねじれた羽根形状とが一体成形される遠心ファンにおいて、ねじれた羽根形状は、羽根形状高さ方向に全貫通の中空部を設けたことを特徴とする。
【００２８】
【発明の実施の形態】
以下、この発明の実施の形態を図面に基づいて説明する。
実施の形態１．
図１、２は実施の形態１を示す図で、図１は遠心ファンの完成図と外スライドコアと傾斜スライドの作動方向を示した図、図２は遠心ファンの中空羽根形状金型構造断面図と動作図である。
【００２９】
図において、１は遠心ファンの吸い込み口、２は遠心ファン本体、３は駆動部と接続されるボス部、４ｂは中空の羽根形状、５ｂは羽根形状４ｂを形状高さ方向で貫通させた中空状態にして薄肉化、軽量化するために、射出成形金型のゲート金型に設けられた肉盗み駒、６は肉盗み駒の倒れ抑制のために、射出成形金型の突出金型側に設けられた肉盗み駒支え駒、７ｂは射出成形金型の突出金型の羽根形状外周外面に０°からアンダーカットになる逆向き勾配（型開き時に成形品が突出金型側に残る向き）を付けるために設けられた外スライドコア、８は本発明の特徴部分であり、射出成形金型の突出金型の羽根形状外周内側の成形面に収縮を考慮した逆勾配（型開き時に成形品が突出金型側に残る向き）を０°以上つけるために設けられた傾斜スライド、９は成形品と湯道をつなぐ入口のピンゲートである。
【００３０】
基本動作は従来どおりであるが、発明に関係した動作としては、まずゲート金型１０と突出金型１１の間の面が開くと、突出金型１１側の羽根形状４ｂ外周の内、外面ともに逆勾配であるアンダーカットをつけているため、外スライドコア７ｂと傾斜スライド８を作動させないと成形品を成形面から離すことができないようにしているので、ゲート金型１０側に成形品がとられることなく、確実に突出金型１１側へ付かせることができる。
【００３１】
ゲート金型１０と突出金型１１の間の面の開きが完了後に、外スライドコア７ｂが作動して羽根形状４ｂ外周の外面から離れ、その後エジェクタプレート１５が成形機から突き出された突出バーによって押されて動き（図８参照）、それに伴ない傾斜スライド８が作動して羽根形状４ｂ外周の内面から離れる。
【００３２】
以上の金型構造により、確実に突出金型１１側に成形品をはり付かせることでひけの少ない安定した成形品の連続成形が可能である。
【００３３】
また、上記の金型構造では、突出金型１１の羽根形状４ｂ成形面と傾斜スライド８の羽根形状４ｂ成形面境界部に段差が付くが、突出金型羽根成形面と傾斜スライド羽根成形面を滑らかに連続につなげた傾斜面にすることで、音、風低下などの問題を解決することができる。
【００３４】
実施の形態２．
図３は実施の形態２を示す図で、遠心ファンの中空羽根形状金型構造断面図と動作図である。図３に示すように、中空羽根形状金型構造は、ゲート金型１０の肉盗み駒５ｄが固定されていなく、型開き方向に動くことが特徴である。基本動作は従来と同様なので省略する。
【００３５】
金型動作としては、ゲート金型１０の肉盗み駒５ｄのみをゲート金型１０面と突出金型１１面が開く前に、先に羽根４ｄ中空部から高さ方向で約１／３程後退作動させて成形面から離しておくので、型開き時にゲート金型１０への成形品のとられ、割れが発生せずに確実に突出金型１１へはり付かせることで、ひけの少ない安定した成形品の連続成形が可能である。成形サイクルタイムも短縮して金型製作費用を削減できる。
【００３６】
羽根４ｄ中空部から高さ方向で約１／３程後退作動させて成形面から離しておく例を説明したが、後退させる距離はこれに限定されたものではない。
【００３７】
実施の形態３．
図４、５は実施の形態３を示す図で、図４はねじれた羽根形状の遠心ファンの完成図と外スライドコアの作動方向を示した図、図５はねじれた羽根形状の遠心ファンの中空羽根形状金型構造断面図と動作図である。
【００３８】
図４、５に示すとおり、遠心ファン本体２とねじれた羽根形状４ｃとが一体成形された遠心ファンにおいて、ねじれた羽根形状４ｃにゲート金型１０側または突出金型１１側に肉盗み駒５ｃを斜め方向から設けて、その肉盗み駒５ｃを支える為に肉盗み駒５ｃ先端に凹形状または凸形状を設けて、それにその相手側の突出金型１１側またはゲート金型１０側羽根形状４ｃの先端（吸い込み口１との溶着形状部付近）から飛出た、先端に駒支え用の凸形状または凹形状を設けた肉盗み支え駒６を合わせて肉盗み駒５ｃを支えた構造であり、羽根形状高さ方向において全貫通の中空部を設けた上で、射出成形の際に発生する射出圧力による駒倒れをなくした。
【００３９】
また、基本動作は従来どおりであり省略するが、この発明の関係する動作は、ねじれた羽根形状４ｃの為に斜め方向に肉盗み駒５ｃを作動して、成形面から離して抜かないと肉盗み駒５ｃがアンダーカット形状からはずれないので、先に肉盗み駒５ｃを作動させてアンダーカット部である中空部肉盗み形状から完全に肉盗み駒５ｃを抜く必要がある。
【００４０】
そこで、肉盗み駒５ｃを傾斜に沿って型開きを利用して動かすスライドカム方式または型開き関係無しに単独で動かせる油圧シリンダー方式によりスライドさせて、アンダーカット形状を抜く。その後、ゲート金型１０面と突出金型１１面が開くと共に羽根形状４ｃの内、外面がねじれているのでアンダーカットで抜けない構造であり、それを外スライドコア７ｃで形成して動かすことで内、外の成形面から離なして抜いてやるので、ゲート金型１０へのとられをなくし、確実に突出金型１１へはり付かせることでひけの少ない安定した成形品の連続成形が可能である。
【００４１】
また、傾斜肉盗み駒５ｃの高さは羽根４ｃ形状高さの約１／２〜１として、抜き勾配は０．１°以上設け、肉盗み支え駒６高さは羽根４ｃ高さの約０〜１／２設ける仕様である。但し、これは一例であり、この仕様に限定されるものではない。
【００４２】
【発明の効果】
この発明に係る遠心ファンの射出成形金型は、型開き時に中空羽根が突出金型に残るような逆勾配を設けたことにより、ゲート金型へのとられをなくし、確実に突出金型にはり付かせることができ、型開き時の割れ不良をなくすことができ、成形品の連続成形を可能にできる。
【００４３】
また、この発明に係る遠心ファンの射出成形金型は、突出金型の中空羽根外周外側の成形面に逆勾配を付けるために外スライドコアを設けると共に、突出金型の中空羽根外周内側の成形面に逆勾配を付けるために傾斜スライドを設けたことにより、型開き時の割れ不良をなくすことができ、成形品の連続成形を可能にできる。
【００４４】
また、この発明に係る遠心ファンの射出成形金型は、突出金型中空羽根成形面と傾斜スライド中空羽根成形面を滑らかに連続的につながるように傾斜面を設けたことにより、遠心ファンの音、風低下などの問題を解決することができる。
【００４５】
この発明に係る遠心ファンの製造方法は、突出金型の中空羽根外周成形面に、型開き時に中空羽根が突出金型に残るような逆勾配を設け、中空羽根を射出成形することにより、ゲート金型へのとられをなくし、確実に突出金型にはり付かせることができ、型開き時の割れ不良をなくすことができ、成形品の連続成形を可能にできる。
【００４６】
また、この発明に係る遠心ファンの製造方法は、射出成形金型は、突出金型の中空羽根外周外側の成形面に逆勾配を付けるための外スライドコアを有すると共に、突出金型の中空羽根外周内側の成形面に逆勾配を付けるための傾斜スライドを有し、射出成形金型に樹脂を注入して中空羽根を成形し、中空羽根の成形完了後に、ゲート金型と突出金型の間の面を開き、外スライドコアを中空羽根外周外側面から離し、中空羽根を突出金型から離型する際に、傾斜スライドが作動して中空羽根外周内側面から離れることにより、型開き時の割れ不良をなくすことができ、成形品の連続成形を可能にできる。
【００４７】
この発明に係る遠心ファンの射出成形金型は、ゲート金型と突出金型とを有する射出成形金型に肉盗み駒を設けて中空羽根を成形する遠心ファンの射出成形金型において、肉盗み駒は、ゲート金型に進退自在に設けられていることにより、型開き時の割れ不良をなくすことができ、成形品の連続成形を可能にできる。成形サイクルタイムも短縮して金型製作費用を削減できる。
【００４８】
この発明に係る遠心ファンの製造方法は、ゲート金型と突出金型とを有する射出成形金型に肉盗み駒を設けて中空羽根を成形する遠心ファンの製造方法において、ゲート金型に進退自在に設けられた肉盗み駒のみを後退作動させて、中空羽根の中空部から高さ方向で所定長さ抜き、その後金型成形品取り出し面を開くことにより、型開き時の割れ不良をなくすことができ、成形品の連続成形を可能にできる。成形サイクルタイムも短縮して金型製作費用を削減できる。
【００４９】
また、この発明に係る遠心ファンの製造方法は、ゲート金型に進退自在に設けられた前記肉盗み駒のみを後退作動させて、中空羽根の中空部から高さ方向で約１／３抜き、その後金型成形品取り出し面を開くことにより、型開き時の割れ不良をなくすことができ、成形品の連続成形を可能にできる。成形サイクルタイムも短縮して金型製作費用を削減できる。
【００５０】
この発明に係る遠心ファンの射出成形金型は、ねじれた羽根形状にゲート金型側または突出金型側に肉盗み駒を斜め方向から設けて、その肉盗み駒を支える為に肉盗み駒先端に凹形状または凸形状を設け、それにその相手側の突出金型側またはゲート金型側羽根の先端から飛出た、先端に駒支え用の凸形状または凹形状を設けた肉盗み支え駒を合わせて、肉盗み駒を支えた構造としたことにより、ゲート金型へのとられをなくし、確実に突出金型へはり付かせることでひけの少ない安定した成形品の連続成形が可能になる。
【００５１】
また、この発明に係る遠心ファンの射出成形金型は、傾斜した肉盗み駒の高さは羽根形状高さの約１／２〜１として、抜き勾配は０．１°以上設け、支え駒高さは羽根形状高さの約０〜１／２設けたことにより、確実に突出金型へはり付かせることでひけの少ない安定した成形品の連続成形が可能になる。
【００５２】
この発明に係る遠心ファンの製造方法は、ねじれた羽根形状にゲート金型側または突出金型側に肉盗み駒を斜め方向から設けて、その肉盗み駒を支える為に肉盗み駒先端に凹形状または凸形状を設け、それにその相手側の突出金型側またはゲート金型側羽根の先端から飛出た、先端に駒支え用の凸形状または凹形状を設けた肉盗み支え駒を合わせて、肉盗み駒を支えて射出成形することにより、確実に突出金型へはり付かせることでひけの少ない安定した成形品の連続成形が可能になる。
【００５３】
また、この発明に係る遠心ファンの製造方法は、ねじれた羽根形状において、ゲート金型側または突出金型側の中空部アンダーカット形状を形成させる為に、肉盗み駒を傾斜させて設け、スライドが動きアンダーカット部である中空部肉盗み形状から完全に駒を抜き、その後に製品取り出し面が開き製品を取り出すことにより、確実に突出金型へはり付かせることでひけの少ない安定した成形品の連続成形が可能になる。
【００５４】
また、この発明に係る遠心ファンの製造方法は、肉盗み駒の傾斜に沿って、型開きを利用して動くスライドカム方式によりスライドさせて、アンダーカット形状を抜くことにより、確実に突出金型へはり付かせることでひけの少ない安定した成形品の連続成形が可能になる。
【００５５】
また、この発明に係る遠心ファンの製造方法は、肉盗み駒の傾斜に沿って、型開きに関係無しに単独で動かせる油圧シリンダー方式によりスライドさせて、アンダーカット形状を抜くことにより、確実に突出金型へはり付かせることでひけの少ない安定した成形品の連続成形が可能になる。
【００５６】
また、この発明に係る遠心ファンの製造方法は、ねじれた羽根形状外周の型が開いた際、アンダーカットで抜けない羽根形状を形成させる為、羽根の内、外面を外側にスライドさせる駒により形成させ、スライドは肉盗み形状駒が完全に抜けた後作動することにより、確実に突出金型へはり付かせることでひけの少ない安定した成形品の連続成形が可能になる。
【００５７】
この発明に係る遠心ファンは、遠心ファン本体とねじれた羽根形状とが一体成形される遠心ファンにおいて、ねじれた羽根形状は、羽根形状高さ方向に全貫通の中空部を設けたことにより、薄肉化、軽量化が図れる。
【図面の簡単な説明】
【図１】実施の形態１を示す図で、遠心ファンの完成図と外スライドコアと傾斜スライドの作動方向を示した図である。
【図２】実施の形態１を示す図で、遠心ファンの中空羽根形状金型構造断面図と動作図である。
【図３】実施の形態２を示す図で、遠心ファンの中空羽根形状金型構造断面図と動作図である。
【図４】実施の形態３を示す図で、ねじれた羽根形状の遠心ファンの完成図と外スライドコアの作動方向を示した図である。
【図５】実施の形態３を示す図で、ねじれた羽根形状の遠心ファンの中空羽根形状金型構造断面図と動作図である。
【図６】従来の遠心ファンの完成図と外スライドコアの作動方向を示した図である。
【図７】従来の遠心ファンの中空羽根形状金型構造断面図と動作図である。
【図８】従来の金型の基本動作図である。
【符号の説明】
１　吸い込み口、２　遠心ファン本体、４ａ〜４ｄ　羽根形状、５ａ〜５ｄ　肉盗み駒、６　肉盗み支え駒、７ａ〜７ｄ　外スライドコア、８　傾斜スライド、９　ピンゲート、１０　ゲート金型、１１　突出金型、１２　ランナーストリッパプレート、１３　ゲート側取付板、１５　突出プレート、１７　突出バー、１８　突出ピン、１９　ランナーロックピン。
【図１】
2004034398.tif 000003
【図２】
2004034398.tif 000004
【図３】
2004034398.tif 000005
【図４】
2004034398.tif 000006
【図５】
2004034398.tif 000007
【図６】
2004034398.tif 000008
【図７】
2004034398.tif 000009
【図８】
2004034398.tif 000010